(57)【要約】【課題】動的なノイズ成分がある画像ソースをオーバードライブ補正する際の、ノイズ成分を強調による、画質低下を防止する手段を提供すること。【解決手段】オーバードライブ補正後の出力画像信号のノイズ成分を評価し、オーバードライブ補正条件を決定し、更に補正後の画像を評価するシステムを構成することで、ノイズの強調を抑えたオーバードライブ補正条件を決定できる。【選択図】図６
2014041226.tif 000002
【特許請求の範囲】
【請求項１】
オーバードライブ駆動回路を有し、
オーバードライブ補正後の画像信号の信号特徴量を検出する信号特徴量検出手段を有し、
オーバードライブ駆動回路における、オーバードライブ補正条件を可変制御する手段を有し、
前記オーバードライブ補正条件制御手段は、
前記オーバードライブ補正条件の設定タイミングより、前のタイミングで検出した第一の信号特徴量と、
前記オーバードライブ補正条件の設定タイミングより、後のタイミングで検出した第二の信号特徴量とを比較し、
前記第一と第二の信号特徴量の比較結果、及び現在のオーバードライブ補正条件に応じた、前記オーバードライブ補正条件の再決定手段を有することを特徴とする液晶表示装置。
【請求項２】
所定のタイミングで再決定を開始することを特徴とする請求項１に記載の液晶表示装置。
【請求項３】
決定されたオーバードライブ補正条件と前記信号特徴量の時間変化が、所定の条件を満たした際にオーバードライブ補正条件の再決定を止めることを特徴とする請求項２に記載の液晶表示装置。
【請求項４】
複数のオーバードライブ補正条件決定手段を有することを特徴とする請求項１の液晶表示装置。
【請求項５】
前記信号特徴量に応じた、前記オーバードライブ補正条件決定手段を有することを特徴とする請求項１に記載の液晶表示装置。
【請求項６】
前記信号特徴量に応じて、前記オーバードライブ補正条件の設定範囲限定手段を有することを特徴とする請求項１に記載の液晶表示装置。
【発明の詳細な説明】
【技術分野】
【０００１】
本発明は、液晶表示装置に関するものであり、特に動画表示性能を向上させるための、オーバードライブ駆動を行なう液晶表示装置に関するものである。
【背景技術】
【０００２】
近年、液晶表示素子がテレビモニタや液晶プロジェクタ等の表示装置で広く用いられている。液晶表示素子の問題点として、印加電圧の変化に対する階調表示の応答が遅い点が挙げられる。このため、液晶表示素子を用いた動画像表示においては残像やぼやけ、尾引きが発生する傾向にある。
【０００３】
液晶表示素子の応答性を高めることを目的とした液晶駆動方法として、オーバードライブが知られている。オーバードライブとは、時間的に階調が変化する場合に、時間的に前後する２フレームの階調差に応じて駆動量を過剰になるように補正する駆動方式である。すなわち、階調が増大する場合には、増大後の階調として、本来の表示階調よりも大きな階調で液晶表示素子を駆動する。また、階調が減少するような場合には、減少後の階調として、本来の表示階調よりも小さな階調で液晶表示素子を駆動する。このような駆動を行なうことにより、中間調での液晶の応答する速度が改善され、動画像表示に対する画像のぼやけや残像が改善されることが知られている。
【０００４】
しかしながら、上述した従来の液晶表示装置にあっては、オーバードライブ駆動を行うと、画像信号に重畳された高周波成分であるノイズが、オーバードライブ駆動により更に強調され、ノイズが白点化して目立つといった、画質低下を招く問題がある。
【０００５】
例えば、アナログＶＴＲを再生した場合などにテープとヘッド系など信号再生でノイズが発生したり、何回もダビングを繰り返したテープを再生した場合にＳＮ比が劣化してノイズが多く発生する入力画像が生じうるが、このような画像に対してオーバードライブ駆動を行なうと、ノイズまでもが強調されて、表示画像の画質を損なう。
【０００６】
このような、アナログ信号にて発生するノイズの特性としては、図１に示す様な、空間成分としては、１画素だけ孤立した輝点や滅点として出現する場合が殆どである。又、階調成分としてはΔ〜０付近が最も出現頻度が高い。このノイズの出現階調分布は、信号源のノイズの特性に応じて、様々な階調分布や量をとりうる。
【０００７】
オーバードライブにより、ノイズが強調されることによる画質低下に対して、特許文献１では、画像信号の信号特徴量を解析して、入力画像信号のノイズ量に応じて、オーバードライブ補正のＯＮ／ＯＦＦ、あるいはオーバードライブ補正量の変更を行なう技術が開示されている。
【０００８】
また、特許文献２では、オーバードライブ補正を行われた信号に対して、空間領域における高周波成分を抑圧する補正を行なうことにより、オーバードライブにより強調されたノイズ成分を抑圧する技術が開示されている。
【先行技術文献】
【特許文献】
【０００９】
【特許文献１】特許第３６０２５２０号明細書
【特許文献２】特開２００４−２１２６０７号公報
【発明の概要】
【発明が解決しようとする課題】
【００１０】
しかし、特許文献１では、画像のノイズ量を評価してオーバードライブ補正値を決定する技術が開示されているものの、入力画像のノイズ成分よりノイズの強調が視認されない最適なオーバードライブ補正量を一意に決定する方式に関しては開示されていない。先ほど説明した様に、一般的に入力画像のノイズ成分は、信号ソースの特性により、様々な階調分布を持つため、ノイズの強調が視認されない最適なオーバードライブ補正量を一意に決定するためには、ノイズ成分の階調分布の解析を信号ソースやシーンに対して行なう必要があり、回路上の演算負荷が大きい。
【００１１】
実際の適用例としては、多数の画像ソースを評価し、ノイズ成分の階調分布に関する統計的な傾向を解析して、最適と考えられるオーバードライブ補正量を予測するケースが考えられる。しかし、この場合は、全ての画像ソースで、ノイズの強調を完全には抑圧できずに、ノイズの強調がされてしまうケースや、過度にオーバードライブ補正を低減させてしまい、ぼやけや残像が改善不足の動画像を表示するケースがありうる。
【００１２】
又、特許文献２で開示されている技術においては、画像の空間領域の高周波成分を抑圧するため、オーバードライブ補正により強調されたノイズ成分のみならず、画像のシャープネスも抑圧されることとなる。
【００１３】
本発明は、上記問題を解決しようとするもので、様々なノイズの量や階調変動幅のノイズが重畳された画像に対して、ノイズの強調がなされず、かつオーバードライブ補正の効果を抑圧することを最小化した最適なオーバードライブ補正値を決定する方法を提供することを目的とする。
【課題を解決するための手段】
【００１４】
本発明における液晶表示装置は、オーバードライブ駆動回路を有し、オーバードライブ補正後の画像信号の信号特徴量を検出する信号特徴量検出手段を有し、オーバードライブ駆動回路における、オーバードライブ補正条件を可変制御する手段を有し、前記オーバードライブ補正条件制御手段は、前記オーバードライブ補正条件の設定タイミングより、前のタイミングで検出した第一の信号特徴量と、前記オーバードライブ補正条件の設定タイミングより、後のタイミングで検出した第二の信号特徴量とを比較し、前記第一と第二の信号特徴量の比較結果、及び現在のオーバードライブ補正条件に応じた、前記オーバードライブ補正条件の再決定手段を有することを特徴とする。
【００１５】
このことにより、ノイズを強調せず、かつ過剰にオーバードライブ補正の効果を抑圧しないオーバードライブ補正条件を決定することができる。
【００１６】
又、本発明における液晶表示装置は、所定のタイミングで再決定を開始することを特徴とし、決定されたオーバードライブ補正条件と前記信号特徴量の時間変化が、所定の条件を満たした際にオーバードライブ補正条件の再決定を止めることを特徴とする。
【００１７】
このことにより、画像中のノイズ成分の傾向が変化するタイミングにのみ限定してオーバードライブ補正条件を変更することができるため、オーバードライブ補正条件の変更をおこないつつ安定した画質での液晶表示装置の表示を行なうことができる。
【００１８】
又、本発明における液晶表示装置は、複数のオーバードライブ補正条件決定手段を有することを特徴とする。
【００１９】
このことにより、異なるノイズ成分の特性を持つ様々な信号に対しても、ノイズ特性の弁別を行い、オーバードライブ補正を行なうことができる。
【００２０】
又、本発明における液晶表示装置は、前記信号特徴量に応じて、前記オーバードライブ補正条件決定手段を有することを特徴とする。若しくは、前記信号特徴量に応じて、前記オーバードライブ補正条件の設定範囲限定手段を有することを特徴とする。
【００２１】
このことにより、異なるノイズ成分の特性を持つ様々な信号に対しても、短期間で最適オーバードライブ補正条件を決定することができる。
【発明の効果】
【００２２】
本発明により、様々な動的ノイズ成分を持つ動画に対して、ノイズを強調せず、かつ過剰にオーバードライブ補正の効果を抑圧しないオーバードライブ補正量を設定して、最適な画質を実現することができる。
【図面の簡単な説明】
【００２３】
【図１】ノイズの特性の説明
【図２】本発明を適用できる映像表示装置の使用例
【図３】液晶プロジェクタのブロック図
【図４】ＯＤ補正部のブロック図
【図５】信号特徴量評価回路の演算内容
【図６】実施例１のＯＤ補正条件制御回路の制御フローチャート
【図７】不感帯幅の説明図
【図８】不感帯幅と信号特徴量の特性図
【図９】実施例１を試験動画に適用した際の実験結果
【図１０】実施例２の全体制御フローチャート
【図１１】実施例２のＯＤ補正条件制御回路の制御フローチャート
【図１２】実施例３のＯＤ補正条件制御回路の制御フローチャート
【図１３】実施例３の全体制御フローチャート
【図１４】実施例３を試験動画に適用した際の実験結果
【図１５】実施例４の全体制御フローチャート
【図１６】実施例４を試験動画に適用した際の実験結果
【発明を実施するための形態】
【００２４】
従来では、入力画像のノイズ成分を評価してオーバードライブ補正条件を決定していた。しかし、本発明では、オーバードライブ補正後の出力画像信号のノイズ成分を評価し、オーバードライブ補正条件を決定し、更に補正後の画像を評価するシステムを構成することで、ノイズの強調を抑え、かつオーバードライブ補正も最大限に効かせられることができることを見出した。
【実施例１】
【００２５】
本発明の液晶表示装置の実施例を以下に説明する。
【００２６】
図２に本発明を適用できる映像表示装置の使用例を示す。液晶プロジェクタ２１は本発明を適用できる映像表示装置の一例である。ビデオプレーヤ２２から出力された映像信号は、ビデオケーブル２３を経て、液晶プロジェクタ２１に入力される。液晶プロジェクタ２１は、入力された映像信号を投射映像光としてスクリーン２４に投射し、使用者が観賞するに好適な投射映像２５を表示する。
【００２７】
図３に、液晶プロジェクタ２１のブロック図を示す。ビデオケーブル２３を介し、液晶プロジェクタ２１に入力された映像信号はＡＤコンバータ３０１に入力されデジタル化される。
【００２８】
デジタル化された映像信号は、映像処理部３０２にてブライトネス補正やコントラスト補正、ガンマ変換、色変換等の映像処理を施され、使用者の観賞するに好適な映像を示す映像信号に変換される。
【００２９】
変換された映像信号は、オーバードライブ補正部（以下オーバードライブをＯＤと呼称する）３０３に入力され、ＯＤ補正される。ＯＤ補正部３０３の処理については後述する。
【００３０】
液晶駆動部３０４は、ＯＤ補正部により補正された映像信号を液晶駆動信号に変換し、液晶表示素子３０７の駆動を行なう。
【００３１】
液晶表示素子３０７は、ランプ３０５から射出され照明光学系３０６により平行光化された光束を、液晶駆動信号に基づき変調する。
【００３２】
変調された光束は投射光学系３０８により外部に投射される。全体制御回路３０９は、所謂マイコンであり、液晶プロジェクタ２１の各部の電源や状態の制御を行なう。
【００３３】
図４に、ＯＤ補正部３０３のブロック図を示す。
【００３４】
ＯＤ補正部３０３に入力された映像信号は、フレーム遅延回路４０１、ＬＵＴ適用回路４０３、そしてフレーム加算回路４０５に入力される。
【００３５】
フレーム遅延回路４０１では、入力映像信号の１フレームをフレームバッファ４０２に格納すると共に、順次１フレーム前に格納されたフレームを読み出すことにより１フレーム遅延させた映像信号を出力する。１フレーム遅延された映像信号は、ＬＵＴ適用回路４０３に入力される。
【００３６】
ＬＵＴ適用回路４０３では、映像信号、および１フレーム遅延された映像信号が入力される。ＬＵＴ適用回路４０３は、ＲＡＭ  （Ｒａｎｄｏｍ  Ａｃｃｅｓｓ  Ｍｅｍｏｒｙ）  ４０４  からＬＵＴデータ４０４１を読み出して、各画素における階調変化の組み合わせにＬＵＴデータ４０４１を適用し、画素毎のＯＤ補正値を算出する。
【００３７】
ＬＵＴデータの構成例を、図７に示す。１フレーム遅延された前フレームの映像信号と現フレームの映像信号の階調の組合せにより、ＬＵＴを参照してＯＤ補正値が決定される。
【００３８】
フレーム加算回路４０５は、入力された映像信号にＬＵＴ適用回路４０３から入力されたＯＤ補正値を加算し、補正された映像信号をＯＤ補正部３０３から出力する。
【００３９】
ここで、フレーム加算回路４０５により補正された映像信号は、信号特徴量評価回路４０６にも入力される。信号特徴量評価回路は、ＯＤ補正された信号から、ノイズ成分を示す信号特徴量を１フレーム画像毎に演算する回路であり、詳細は後述する。
【００４０】
信号特徴量評価回路４０６により演算された信号特徴量はＯＤ補正条件制御回路４０７に入力される。ＯＤ補正条件制御回路４０７は、フレーム毎の信号特徴量の変動条件に応じて、ＯＤ補正条件の変更情報をＬＵＴ適用回路４０３にフィードバックする。
【００４１】
次に、信号特徴量評価回路４０６の演算内容を示す。
【００４２】
信号特徴量とは、１フレーム画像中のノイズの量を定量化する評価量である。ノイズの空間的な特徴として、表示画面中の孤立した１画素の輝点や滅点状のものが多いため、図５（ａ）に図示した様に、ある注目画素の階調Ａとその周囲の画素の階調Ｂ１〜Ｂ８の関係として、
Ｂ１〜Ｂ８若しくは、Ａ＜Ｂ１〜Ｂ８
である様な画素を、ノイズ画素と判定する。
【００４３】
１フレーム画像中の全画素に対して、上記ノイズ判定をして算出されたノイズ画素の個数をｎと定義した時、信号特徴量を、図５（ｂ）の式（５０１）で定義する。式（５０１）で定義された信号特徴量は、直感的には、１フレーム画像中の孤立した１画素の輝点・滅点の平均的な階調突起量の指標であり、ＯＤ補正を行なうと、この量も増加する特性を持つため、ノイズを定量化した評価値とすることができる。
【００４４】
なお、本発明の使用する信号特徴量は、１フレーム画像中のノイズ量を定量化でき、かつＯＤ補正条件により増減する特性を持つ評価量であれば、式（５０１）で定義した評価量以外でも本発明には適用可能である。例えば、ＯＤ補正後の画像に対して、ＦＦＴ（高速フーリエ変換）を行い、高周波成分の値を信号特徴量とすることでも、ノイズ量の定量化を行なうことが可能である。
【００４５】
次に、本実施例のＯＤ補正条件制御回路４０７の詳細に関して説明をする。
【００４６】
図６は、本実施例のＯＤ補正条件制御回路４０７の制御フローを示した図である。
【００４７】
ＯＤ補正条件制御回路４０７とは、ＯＤ補正条件設定タイミングを基点として、そのタイミングより前のフレームと後のフレームの信号特徴量の増減に応じて、次のフレームのＯＤ補正条件が決定される回路である。ＯＤ補正条件とは、ＯＤ補正の補正程度や補正の有無の条件全般を指す。本実施例では、ＯＤ補正条件として不感帯幅αｉをＯＤ補正条件として、設定変更する。以下で、不感帯幅に関する説明を行なう。
【００４８】
なお、以降の実施例では、不感帯幅をＯＤ補正条件のパラメタとして適用した例について説明をしているが、本発明はＯＤの補正の程度を変更できる方法であれば、不感帯幅でなくとも適用可能であり、例えばＲＡＭ４０４に設定されているＬＵＴ４０４１のＯＤ補正値の設定テーブルを設定変更しても良い。
【００４９】
不感帯幅とは、前フレームから現フレームに階調が変動する変動幅が所定の値以下であるときには、ＯＤ補正を行なわないというＯＤ補正を行なう階調変動幅に閾値を設けるパラメタである。図７のＯＤ補正ＬＵＴ中のハッチング部７０１は、不感帯幅を３０に設定した際に実質ＯＤ補正が行なわれない階調遷移の範囲を示したものである。当然のことながら、不感帯幅を０に設定すると、ＯＤ補正を最大に効かせる代わりに、ノイズ成分も強調されることとなり、不感帯幅を最大変動幅の２５５に設定するならば、ＯＤ補正が全くなされないことと同等である。
【００５０】
ノイズ成分が含まれる試験動画における、不感帯幅と信号特徴量との関係を図８に示す。図８では、ノイズ成分に差異のある２種類の動画ソースに関する特性を８０１、８０２で示している。本実施例では、８０１の特性を持つ動画ソースにおける実施例を例に説明すると、不感帯幅が０から３０階調付近まで増加するにつれて、信号特徴量は大きく減衰して、不感帯幅が３０階調以上の領域では、信号特徴量は殆ど減衰しない。このことは、この試験動画中のノイズの階調変動幅が０〜３０階調辺りの範囲に分布していることを示している。
【００５１】
図６のＯＤ補正条件制御回路４０７の制御フローに戻り、説明を続ける。
【００５２】
液晶表示素子の電源投入後、ＳＴＥＰ６０１で処理が開始される。ＳＴＥＰ６０２で、不感帯幅を現在の設定値に対して、−Δαだけ減少させた不感帯幅αｉに設定する。この不感帯幅：αｉにてＯＤ補正された補正画像の信号特徴量：ＮｉをＳＴＥＰ６０３で読み込む。信号特徴量は、図８に依存した特性を持つため、前フレームに対して、信号特徴量が増加することが予測される。ＳＴＥＰ６０４にて、信号特徴量ＮｉとＮｉ−１の比較をして、予測通り信号特徴量：ＮｉがＮｉ−１より増加した場合には、特性８０１中の８０３〜８０４の範囲で不感帯が設定されていると判定して、次のＳＴＥＰ６０５に進む。又、予測とは異なり、信号特徴量が増加しない場合には、８０５の様な、不感帯幅の変動に対して、ノイズの増減がなされない領域にいることが予測されるため、不感帯幅が過多であると判定して、不感帯幅を減少させるためにＳＴＥＰ６０２に戻る。
【００５３】
ＳＴＥＰ６０５では、ＳＴＥＰ６０２とは逆に、不感帯幅を＋Δαだけ増加させた不感帯幅を設定する。ＳＴＥＰ６０６にてＳＴＥＰ６０５で増加させた不感帯幅における信号特徴量を読み込み、ＳＴＥＰ６０７で信号特徴量ＮｉとＮｉ−１の比較を再度行なう。信号特徴量は８０１に依存した特性を持つため、前フレームに対して、信号特徴量が減少することが予測される。ＳＴＥＰ６０７にて、信号特徴量ＮｉとＮｉ−１の比較をして、予測通り信号特徴量：ＮｉがＮｉ−１より減少した場合には、８０１中の８０３〜８０４の領域であると判定され、更に不感帯幅を増加させるために、ＳＴＥＰ６０５へ進む。又、信号特徴量が予測と反して、変わらない、若しくは増加する結果が得られた場合には、ＳＴＥＰ６０４での判定と同様に、８０５の様な不感帯幅の変動に対して、ノイズの増減がなされない領域に設定されていることが予測されるため、不感帯幅が過多であると判定して、不感帯幅を減少させるため、ＳＴＥＰ６０２に進む。
【００５４】
以上の不感帯幅の増減ループを繰り返すことにより、最終的に不感帯幅の設定は８０４に示す２６階調前後へと設定が収束される。
【００５５】
実際に、本発明の実施例にて説明したアルゴリズムにて試験動画による不感帯幅設定を行った実験結果を、図９に示す。９０１が不感帯幅設定値で、９０２が信号特徴量であるが、１５０フレーム程度の期間で不感帯幅は２４階調付近に設定収束している、８０１の特性で示した様に、これ以上不感帯幅を上げてもノイズ量の低減はなされないため、オーバードライブによるノイズ強調を本実施例のアルゴリズムで過不足なく抑制できたことがわかる。
【００５６】
又、ノイズの階調分布が異なる信号ソースに対しても、図８に示す様な特性に応じて、設定収束される不感帯幅が信号ソースのノイズレベルに応じた最適値へと設定収束される。
【実施例２】
【００５７】
次に、本発明の液晶表示装置における第二の実施例を以下に説明する。
【００５８】
実施例１において、信号ソースに対する最適な不感帯幅設定を行なう実施形態について説明をしたが、本実施例では、同一の信号ソース中でのシーンにより、ノイズの階調成分が変動するケースを想定した実施例を説明する。同一の信号ソース中でのシーンにより、最適な不感帯幅が大きく増減するような場合、実施例１の様にリアルタイムでの不感帯幅の設定変更をし続けるのではなく、本実施例では、シーン切り替わり時にシーンに応じた最適な不感帯幅を検索・設定して、次のシーン切り替わりまで設定不感帯幅を固定するという実施形態を説明する。まず、図３の映像処理部３０２にて、入力画像の平均階調レベルを算出する回路を持ち、入力画像の階調レベルが大きく変動したタイミングを検知して、シーンが切り替わりタイミングを全体制御回路３０９に送信する。全体制御回路３０９は、トリガー信号をＯＤ補正条件制御回路４０７に入力する。図１０のフローに示す様に、ＯＤ補正条件制御回路４０７は、シーン切替を検知したＳＴＥＰ１００１後に、ＳＴＥＰ１００２でＯＤ補正条件設定シーケンスを開始する。ＳＴＥＰ１００２では、所定条件で不感帯幅設定シーケンスを終了して、終了時の設定不感帯幅で固定し次のシーン切替のタイミングを待つ。このシーケンスでは、シーンに応じた最適なＯＤ補正を行なうことができる。
【００５９】
図１１に、本実施例のＯＤ補正条件設定シーケンス１００２の詳細フローを説明する。実施例１の図６のフローに示した不感帯幅の設定アルゴリズムと同様に、シーンに最適な不感帯幅へと設定収束させる。但し、ＳＴＥＰ１１０３，ＳＴＥＰ１１０７により不感帯幅設定を繰り返すフレーム数に上限値ｉ＿ｍａｘを設けておき、ｉ＿ｍａｘ回設定が行なわれたら、そこで不感帯幅の設定を終了する。
【００６０】
不感帯幅設定の終了条件を、本実施例ではＳＴＥＰ１１０３，ＳＴＥＰ１１０７の条件で所定のフレーム数ｉ＿ｍａｘとしたが、例えば、最近複数回の不感帯幅設定値の履歴を記憶して、不感帯幅設定値がほぼ一定値へと収束したことを終了条件にするという条件設定も可能である。
【実施例３】
【００６１】
次に、本発明における液晶表示装置の第三の実施例を以下に説明する。
【００６２】
本実施例は、実施例１，２と比較して、ノイズが所定値以下の量である動画に対しては、動画のぼやけや残像の改善を優先する目的で、最初にノイズの有無判定を行い、所定値以下であれば不感帯幅を０に設定して、所定値以上であれば、最適な不感帯幅を検索することで、ノイズの無い画像における、オーバードライブの不要な抑制を行わないことを目的としたアルゴリズムを説明する。
【００６３】
図１２は、実施例２のフロー図１１と比較して、ＳＴＥＰ１２０５，ＳＴＥＰ１２０９の信号特徴量の増減判定時にオフセット値Ｎｏｆｆが設定できる構成が特徴である。このＮｏｆｆは通常は０に設定されるが、この値を有限値に設定すると、ノイズの少ない動画ソースに対しては、信号特徴量Ｎｉの変動幅が少ないため、ＳＴＥＰ１２０５で常にＮＯの判定をされ、ＳＴＥＰ１２０２→ＳＴＥＰ１２０３→ＳＴＥＰ１２０４→ＳＴＥＰ１２０５→ＳＴＥＰ１２０２のフローを周り続ける。そのため、不感帯幅は単調減少して最小設定値０へと収束する。本実施例はこの特性を用いて、シーンのノイズ有無をＮｏｆｆの設定により弁別するアルゴリズムを提供する。
【００６４】
図１３が、本実施例のフローを示した図である。映像処理部３０２にて、シーンが切り替わりタイミングを検知する。検知結果を全体制御回路３０９で、トリガー信号としてＯＤ補正条件制御回路４０７に入力する。ＯＤ補正条件制御回路４０７は図１３のＳＴＥＰ１３０１でシーン切替を検知したら、ＳＴＥＰ１３０２にてノイズ有無弁別用のパラメタＮｏｆｆ＝１を設定する。ＳＴＥＰ１３０３では、図１２のフローのＯＤ補正条件設定シーケンスＳＴＥＰ１３０３を、Ｎｏｆｆ＝１の設定で、ｉ＿ｍａｘ＝１００フレームだけ設定を繰り返す。この後、ＳＴＥＰ１３０４で現在設定されている不感帯幅を読出して、０が設定されている場合には、ノイズが所定値以下の動画であることが判定され、不感帯幅０で固定してフローを終了する。設定不感帯幅が０でない場合には、ノイズが所定値以上の動画であると判定され、実施例２と同じ最適な不感帯幅を設定するフローのために、ＳＴＥＰ１３０５でＮｏｆｆ＝０に設定されＳＴＥＰ１３０６へと進む。
【００６５】
実際に、本実施例をノイズの無い評価動画と、ノイズを含む評価動画の２種類に対して行なった数値実験による、設定履歴を図１４に示す。期間１４０１は、図１３のＳＴＥＰ１３０３のノイズ有無検知シーケンス期間であり、期間１４０２は、ＳＴＥＰ１３０６の最適不感帯幅設定シーケンス期間である。
【００６６】
１４０３は、ノイズの無い評価動画の例であるが、期間１４０１で、不感帯幅の設定は単調減少して０へと設定収束される。又、ノイズの含まれる評価動画の例の１４０４に関しては、期間１４０２で、最適な不感帯幅へ設定収束することができた。
【実施例４】
【００６７】
次に、本発明における液晶表示装置の第四の実施例を以下に説明する。
【００６８】
本実施例では、実施例１〜３と比較して、最適な不感帯幅の検索が完了する期間をより短縮することができるアルゴリズムを説明する。
【００６９】
図８の８０２は、８０１と比較した際に、ノイズ成分が少ない動画の不感帯幅に対する信号特徴量の特性を示した特性例である。８０１の動画における最適不感帯幅が８０４であったのに対して、８０２における最適不感帯幅は８０６と小さい値をとる。この例が示す様に、一般的にノイズ成分の多寡と、最適不感帯幅との間には、大まかな相関がある。但し、ノイズ成分の階調分布の形状により、正確な最適不感帯幅は、各画像により異なる。本実施例では、信号特徴量の絶対値と、最適不感帯幅との間に大まかな相関があることを利用して、狙い不感帯幅付近に予め設定した上で、最適不感帯幅を検索することにより、処理時間の短縮化を図ることを特徴とする。
【００７０】
図１５に、本実施例の動作フローチャートを示す。実施例２のフローチャート図１０と比較して、本実施例では、シーン切替検知後に、ＳＴＥＰ１５０２にて、不感帯幅設定値を０に設定し、ＳＴＥＰ１５０３にてその時の信号特徴量を検出して、検出された絶対値を初期不感帯幅設定値とするステップが追加される。その後の動作に関しては、実施例２で説明した様に図１１のシーケンスを経て、最適不感帯幅を検索する。
【００７１】
実施例１で説明した動画に、本実施例を適用した際の最適不感帯幅検索結果の例を図１６に示す。実施例１の結果９０２では、約１７０フレームで最適不感帯幅へと収束した結果と比較すると、本実施例においては、初期不感帯幅設定フロー１５０３により、最適不感帯幅に近い領域から、シーケンスを開始することができるため、約８０フレームで最適不感帯幅への収束が成され、シーン切替タイミングから最適不感帯幅の設定が完了する時間を約１／２に短縮することができた。
【００７２】
なお、本実施例においては、信号特徴量の定義から、信号特徴量の絶対値を初期不感帯設定値としたが、信号特徴量を変数とした、関数にて初期不感帯設定値を決定しても良い。
【００７３】
又、本実施例においては、信号特徴量より、初期不感帯幅の設定値を決定することにより、シーケンス完了時間の短縮を図ったが、これ以外にも、例えば信号特徴量情報から、不感帯設定の範囲を限定することでも、同様にシーケンス完了時間の短縮を図ることが可能である。
【００７４】
以上、本発明の好ましい実施形態について説明したが、本発明はこれらの実施形態に限定されず、その要旨の範囲内で種々の変形及び変更が可能である。
【符号の説明】
【００７５】
２１  液晶プロジェクタ
２２  ビデオプレーヤ
２３  ビデオケーブル
２４  スクリーン
２５  投射画像
３０１  ＡＤコンバータ
３０２  映像処理部
３０３  オーバードライブ補正部
３０４  液晶駆動部
３０５  ランプ
３０６  照明光学系
３０７  液晶表示素子
３０８  投射光学系
３０９  全体制御回路
４０１  フレーム遅延回路
４０２  フレームバッファ
４０３  ＬＵＴ適用回路
４０４  ＲＡＭ（Ｒａｎｄｏｍ  Ａｃｃｅｓｓ  Ｍｅｍｏｒｙ）
４０４１  ＬＵＴデータ
４０５  フレーム加算回路
４０６  信号特徴量評価回路
４０７  ＯＤ補正条件制御回路
７０１  不感帯幅設定した際にＯＤ補正が行なわれない階調遷移範囲
８０１，８０２  不感帯幅設定値と信号特徴量の関係
８０４，８０６  不感帯幅設定が最適な場合
８０５  不感帯幅設定が過剰な場合
８０３  不感帯幅設定が小さい場合
９０１，１６０１  不感帯幅設置値
９０２，１６０２  信号特徴量
１４０１  ノイズ有無検知シーケンス適用期間
１４０２  最適不感帯幅設定シーケンス適用期間
１４０３  ノイズの無い評価動画の不感帯幅設定値
１４０４  ノイズの含まれる評価動画の不感帯幅設定値
【図１】
2014041226.tif 000003
【図２】
2014041226.tif 000004
【図３】
2014041226.tif 000005
【図４】
2014041226.tif 000006
【図５】
2014041226.tif 000007
【図６】
2014041226.tif 000008
【図７】
2014041226.tif 000009
【図８】
2014041226.tif 000010
【図９】
2014041226.tif 000011
【図１０】
2014041226.tif 000012
【図１１】
2014041226.tif 000013
【図１２】
2014041226.tif 000014
【図１３】
2014041226.tif 000015
【図１４】
2014041226.tif 000016
【図１５】
2014041226.tif 000017
【図１６】
2014041226.tif 000018